(57)【特許請求の範囲】
【請求項１】
電気製品が載置台に載置されて収納され、扉が設けられたキャビネットと、
このキャビネットの上部に設けられ、送風機及び排気口を備えた蒸気排出ユニットを有する電気製品収納庫において、
前記扉は半透明の窓を備え、
この窓の下方で前記キャビネットの前面の下端近傍に設けられかつ、外部と前記キャビネット内を連通する吸気口と、
この吸気口の出口側近傍に吸気口に沿って延び吸気された空気を前記窓方向に導くガイド部材とが設けられたことを特徴とする電気製品収納庫。
【請求項２】
前記吸気口は、略前記扉の長さに等しい幅を有することを特徴とする請求項１に記載の電気製品収納庫。
【請求項３】
前記ガイド部材の長さは、略前記吸気口の幅に等しいことを特徴とする請求項２に記載の電気製品収納庫。
【請求項４】
前記吸気口は、前記キャビネットの略開口の長手方向の長さと等しい幅を有することを特徴とする請求項１ないし３のいずれか１項に記載の電気製品収納庫。
【発明の詳細な説明】
【技術分野】
【０００１】
本発明は電気製品収納庫に係り、特に蒸気排出ユニットを備え、キャビネットに設けた扉の窓に水蒸気が付着するのを防止する電気製品収納庫に関する。
【背景技術】
【０００２】
従来、電気製品収納庫に収納された炊飯器、電気ポットあるいはコーヒーメーカーなどの電気製品の加熱時に発生する蒸気を外部に排出するために、電気製品収納庫に蒸気排出ユニットを組み込んでいる。
【０００３】
この種の電気製品収納庫は、システムキッチンに組み込まれて使用されることが多く、美観上及び生活臭をなくすため、キャビネット内部に収納された炊飯器、ポットのような電気製品が外部から見えないように、収納庫の前面に扉を設けている。
【０００４】
しかしながら、従来の収納庫の扉は不透明であるため、キャビネット内に収容された表示ランプの点等状態を視認できず、不便であり、また、万一電気製品から発火があった場合、これを速やかに視認できず危険であった（例えば、特許文献１参照）。
【０００５】
また、キャビネットの前面の下端近傍に設けられた吸気口から、空気を取り入れ、電気器具が載置される載置台の中央部に設けた通気孔から、空気を吹き出し、電気器具から発生する水蒸気をキャビネット外に排出する電気製品収納庫が提案されている（例えば、特許文献２参照）。
【０００６】
しかしながら、特許文献２に記載の電気製品収納庫は、通気孔が載置台に載置される電気製品の底部に対向して配されるため、スムーズな空気の流れが妨げられ、十分な排気が行なえず、水蒸気をキャビネットに十分に排出できず、さらに、扉に設けた窓に水蒸気が付着するのを防止する対策がなされていない。
【特許文献１】特開２００８−２３０７３号公報
【特許文献２】特開２００８−３６２２４号公報
【発明の開示】
【発明が解決しようとする課題】
【０００７】
本発明は上述した事情を考慮してなされたもので、扉に設けた半透明の窓により美観を保ち、生活臭を消しかつ、窓に水蒸気が付着するのを防止して、キャビネット内への視認性を維持できる電気製品収納庫を提供することを目的とする。
【課題を解決するための手段】
【０００８】
上述した目的を達成するため、本発明に係る電気製品収納庫は、電気製品が載置台に載置されて収納され、扉が設けられたキャビネットと、このキャビネットの上部に設けられ、送風機及び排気口を備えた蒸気排出ユニットを有する電気製品収納庫において、前記扉は半透明の窓を備え、この窓の下方で前記キャビネットの前面の下端近傍に設けられかつ、外部と前記キャビネット内を連通する吸気口と、この吸気口の出口側近傍に吸気口に沿って延び吸気された空気を前記窓方向に導くガイド部材とが設けられたことを特徴とする。
【発明の効果】
【０００９】
本発明に係る電気製品収納庫によれば、扉に設けた半透明の窓により美観を保ち、生活臭を消しかつ、窓に水蒸気が付着するのを防止して、キャビネット内への視認性を維持できる電気製品収納庫を提供することができる。
【発明を実施するための最良の形態】
【００１０】
本発明の一実施形態に係る電気製品収納庫について図面を参照して説明する。
【００１１】
図１は本発明の一実施形態に係る電気製品収納庫の正面図、図２は本電気製品収納庫の奥行方向の縦断面図、図３は本電気製品収納庫の扉開放、載置台引き出し時の縦断面図である。
【００１２】
図１〜図３に示すように、本発明の一実施形態に係る電気製品収納庫１は、キャビネット２を備え、このキャビネット２には、半透明の窓３ａを備えた扉３が設けられ、キャビネット２の内部の上部には、蒸気排出ユニット４が設けられ、下部には載置台５が設けられる。
【００１３】
本発明で半透明とは、通常の状態ではキャビネットに収容された電気製品を明確には視認できないが、ＬＥＤの光や炎を視認できる程度の透光性を有するものを意味する。例えば、窓の材質としては、ポリスチレン樹脂、アクリル樹脂、ポリカーボネート、ガラスなどがあげられ、ポリスチレン樹脂、アクリル樹脂、ポリカーボネートは表面にエンボス加工を施し、半透明にし、ガラスは着色コーティングして半透明にする。
【００１４】
扉３はいわゆるスイングダウン方式のヒンジ（図示せず）によってキャビネット２に取り付けられ、開放時垂直状態でキャビネット２の前面下方まで移動可能で、載置台５の引き出しの邪魔にならないようになっている。
【００１５】
図４に示すように、蒸気排出ユニット４は、扁平直方体状のユニット本体６を備え、ユニット本体６の外周側面には蒸気排出口７が設けられ、ユニット本体６内には送風機８が設けられ、ユニット本体６の底面部９には、このユニット本体６の一部をなす凹部形成板１０によって形成され、底面が平らで扁平略矩形状の凹部１１が設けられ、この凹部１１の略全体を覆うように平板状の２枚の蒸気分散板１２が取り付けられ、凹部１１と蒸気分散板１２、及び両蒸気分散板１２間に蒸気吸込口１３が設けられる。
【００１６】
また、キャビネット２の内部の下部には、電気製品が載置される載置台５が設けられる。
【００１７】
さらに、キャビネット２の前面の下端近傍、例えば扉３の下部には、外部とキャビネット２内を連通する第１の吸気口１４が設けられ、キャビネット２の略開口の長手方向の長さと等しい幅を有する。
【００１８】
図５に示すように、第１の吸気口１４の出口側（キャビネット内側）近傍には、この第１の吸気口１４に沿って延び、断面略Ｌ字状をなし、第１の吸気口１４から吸い込まれた空気を窓３ａに沿って上方に導くガイド部材１５が設けられる。このガイド部材１５の長さは、略第１の吸気口１４の幅に等しい。
【００１９】
また、この第１の吸気口１４の下方には第１の吸気口１４と平行に第２の吸気口１６が設けられる。この第２の吸気口１６は外部とキャビネット２内を連通し、載置台５の前面下端５ａとキャビネット２の底面２ｂ間に設けられ、キャビネット２の略開口の長手方向の長さと等しい幅を有する。
【００２０】
載置台５はキャビネット２の側面２ｓに設けるガイドレール（図示せず）と載置台５に設けるローラ（図示せず）により、引き出し自在に設けられ、載置台５とキャビネット２の底面２ｂ間には、通気路１７をなす、隙間が設けられる。
【００２１】
図２及び図６に示すように、この通気路１７は入口側で第２の吸気口１６に連通し、出口側で載置台５の後端５ａとキャビネット２の後面２ｒ間に設けられ、空気ガイド用の立上１８ａを備えた後部通気開口１８に連通する。さらに、この通気路１７はキャビネット２の両側面２ｓと載置台５の両側部５ｂで両側部通気開口１９に連通する。
【００２２】
再び、図１に示すように、キャビネット２の後部角部には、後部通気開口１８から吹き出される空気を蒸気排出ユニット４の蒸気吸込口１３に導く風向板２０が設けられる。
【００２３】
なお、符号２５は温度センサーであり、キャビネット２内を流れる空気温度が、設定温度以上になると、これを検知して、リレー開閉スイッチを介して電気製品への給電をとめる働きをする。符号２６は電気製品のソケットが挿入される給電用のコンセント、符号２７は制御スイッチ、符号２８は表示部、符号２９は電気製品の載置限界を決めるストッパーである。
【００２４】
次に本実施形態の電気製品収納庫を用いたキャビネット内の排気作用について説明する。
【００２５】
図３に示すように、扉３を開放し、載置台５を引き出し、載置台５に電気製品例えば炊飯器を載置する。
【００２６】
図７に示すように、扉３を閉め、炊飯を開始する。半透明の窓３ａを備えた扉３により、炊飯器は明確には見えず、美観上好ましくまた、生活臭もない。
【００２７】
炊飯を開始し、炊飯が進行すると、炊飯器から水蒸気が発生し、キャビネット２内に放出される。
【００２８】
一方、炊飯の開始に伴って、送風機８の作用により、外気が第１の吸気口１４及び第２の吸気口１６からキャビネット２内に吸い込まれる。
【００２９】
図８及び図９に示すように、第１の吸気口１４からキャビネット２内に吸い込まれた空気は、第１の吸気口１４の出口側近傍に設けた断面略Ｌ字状のガイド部材１５により、上方に導かれる。
【００３０】
上方に導かれた空気は、ガイド部材１５が略第１の吸気口１４の幅に等しいので、窓３ａの全面に沿って上方に流れ、窓３ａ近傍に停滞する水蒸気を巻き込んで、蒸気吸込口１３、送風機８及び蒸気排出口７から外部に排出される。また、窓３ａに沿って流れる空気流（層）によって、窓３ａにエンボス加工が施されていても、水蒸気が窓３ａに付着するのが防止される。
【００３１】
従って、電気製品に設けたＬＥＤの光や電気製品から発火があっても、窓からの視認製が向上し、調理の進行状況や発火を確実に把握できる。
【００３２】
さらに、炊飯器の手前側に滞留する水蒸気を巻き込んで、蒸気吸込口１３、送風機８及び蒸気排出口７から外部に排出される。
【００３３】
これに対して、後部通気開口１８から吹き出された空気は、立上１８ａの作用でキャビネット２の後面２ｒに沿って流れ、風向板２０に案内されて、斜め上方に流れ、炊飯器から発生し主として炊飯器の後側に滞留する水蒸気を巻き込んで、蒸気吸込口１３、送風機８及び蒸気排出口７から外部に排出され、さらに、空気は通気路１７に連通する側部通気開口１９からも吹き出され、側面２ｓに沿って上方に流れ、炊飯器から発生し主として炊飯器の両側に滞留する水蒸気を巻き込んで、蒸気吸込口１３、送風機８及び蒸気排出口７から外部に排出される。
【００３４】
上記のように炊飯器から発生する水蒸気は、第１の吸気口１４及び第２の吸気口１６から吸い込んだ空気により、滞留することなく、速やかかつ確実に外部に排出され、キャビネット２内に水滴が付着することがなく、特に第１の吸気口１４から吸い込まれた空気を窓３ａの全面に沿って流すので、窓３ａへの水蒸気の付着を防止できる。
【００３５】
本実施形態の電気製品収納庫によれば、扉に設けた半透明の窓により美観を保ち、生活臭を消しかつ、窓に水蒸気が付着するのを防止して、キャビネット内への視認性を維持できる電気製品収納庫が実現する。
【００３６】
なお、本実施形態では、炊飯器のみをキャビネット内に載置して使用した例で説明したが、ポットなど、複数の電気製品を並置して使用することができる。
【００３７】
このようなキャビネットに用いられる扉は、高さ寸法より幅寸法が長くなっており、窓の長さもほぼ同様の関係になっていることから、この扉の幅寸法側に幅寸法と同様の第１の吸気口を設けることで、より確実に、窓への蒸気の付着を抑えることが可能となる。
【図面の簡単な説明】
【００３８】
【図１】本発明の一実施形態に係る電気製品収納庫の正面図。
【図２】本発明の一実施形態に係る電気製品収納庫の奥行方向の縦断面図。
【図３】本発明の一実施形態に係る電気製品収納庫の扉開放、載置台引き出し時の縦断面図。
【図４】本発明の一実施形態に係る電気製品収納庫に用いる蒸気排出ユニットの斜視図。
【図５】本発明の一実施形態に係る電気製品収納庫に用いる扉の裏面を示す斜視図。
【図６】本発明の一実施形態に係る電気製品収納庫に用いる載置台の設置状態を示す平面図。
【図７】本発明の一実施形態に係る電気製品収納庫の使用状態を示す斜視図。
【図８】本発明の一実施形態に係る電気製品収納庫の使用状態を示す縦断面図。
【図９】本発明の一実施形態に係る電気製品収納庫の使用状態の空気流を示す概念図。
【符号の説明】
【００３９】
１  電気製品収納庫
２  キャビネット
２ａ  前面下端
２ｂ  底面
２ｓ  側面
２ｒ  後面
３  扉
３ａ  窓
４  蒸気排出ユニット
５  載置台
５ａ  後端
５ｂ  側部
６  ユニット本体
７  蒸気排出口
８  送風機
９  底面部
１０  凹部形成板
１１  凹部
１２  蒸気分散板
１３  蒸気吸込口
１４  第１の吸気口
１５  ガイド部材
１６  第２の吸気口
１７  通気路
１８  後部通気開口
１８ａ  立上
１９  側部通気開口
２０  風向板
２５  温度センサー
２６  コンセント
２７  制御スイッチ
２８  表示部
２９  ストッパー
【図１】
0005035906.tif 000002
【図２】
0005035906.tif 000003
【図３】
0005035906.tif 000004
【図４】
0005035906.tif 000005
【図５】
0005035906.tif 000006
【図６】
0005035906.tif 000007
【図７】
0005035906.tif 000008
【図８】
0005035906.tif 000009
【図９】
0005035906.tif 000010